(57)【要約】【課題】キー部への情報入力が撮影されてしまう可能性を抑制する技術を提供する。【解決手段】装置の外観面に形成された凹部１０５と、情報を入力するためのキーが複数配置されたキー部１０６と、を備え、キー部１０６の少なくとも一部は、凹部１０５によって形成される開口空間に配置され、凹部１０５の内側面の少なくとも一部は、内側に突出した突出領域である、自動取引装置１０Ａが提供される。【選択図】図３
2015194822.tif 000002
【特許請求の範囲】
【請求項１】
装置の外観面に形成された凹部と、
情報を入力するためのキーが複数配置されたキー部と、を備え、
前記キー部の少なくとも一部は、前記凹部によって形成される開口空間に配置され、
前記凹部の内側面の少なくとも一部は、内側に突出した突出領域である、
入力キー配置構造。
【請求項２】
前記凹部は、装置の前面に設けられる、
請求項１に記載の入力キー配置構造。
【請求項３】
前記突出領域は、断面Ｖ字形状をなす、
請求項１に記載の入力キー配置構造。
【請求項４】
前記突出領域は、前記凹部の上面に形成されている、
請求項１に記載の入力キー配置構造。
【請求項５】
前記突出領域は、前記凹部の奥面に形成されている、
請求項１に記載の入力キー配置構造。
【請求項６】
装置の外観面に形成された凹部と、
情報を入力するためのキーが複数配置されたキー部と、
前記凹部の内側面に取り付けられた光センサと、
前記光センサによって検出された光量が下限値を下回った場合に、所定の動作を行う制御部と、を備え
前記キー部の少なくとも一部は、前記凹部によって形成される開口空間に配置される、
入力キー配置構造。
【請求項７】
装置の外観面に形成された凹部と、
情報を入力するためのキーが複数配置されたキー部と、を備え、
前記キー部の少なくとも一部は、前記凹部によって形成される開口空間に配置され、
前記凹部の内側面の少なくとも一部は、内側に突出した突出領域である、
自動取引装置。
【請求項８】
前記凹部は、装置の前面に設けられる、
請求項７に記載の自動取引装置。
【請求項９】
前記突出領域は、断面Ｖ字形状をなす、
請求項７に記載の自動取引装置。
【請求項１０】
前記突出領域は、前記凹部の上面に形成されている、
請求項７に記載の自動取引装置。
【請求項１１】
前記突出領域は、前記凹部の奥面に形成されている、
請求項７に記載の自動取引装置。
【請求項１２】
装置の外観面に形成された凹部と、
情報を入力するためのキーが複数配置されたキー部と、
前記凹部の内側面に取り付けられた光センサと、
前記光センサによって検出された光量が下限値を下回った場合に、所定の動作を行う制御部と、を備え、
前記キー部の少なくとも一部は、前記凹部によって形成される開口空間に配置される、
自動取引装置。
【発明の詳細な説明】
【技術分野】
【０００１】
本発明は、入力キー配置構造および自動取引装置に関するものである。
【背景技術】
【０００２】
昨今、現金自動預け払い機（ＡＴＭ：Ａｕｔｏｍａｔｅｄ  Ｔｅｌｌｅｒ  Ｍａｃｈｉｎｅ、以下、単に「ＡＴＭ」とも言う。）などの自動取引装置が利用されている。自動取引装置は、画面に案内を表示し、案内に従って利用者によってカードが挿入され、キー部から暗証情報が入力されると、暗証情報の照合が成功した場合に、現金の預け入れや払い戻しなどの取引を行うことができる。かかる自動取引装置は、金融機関だけではなく小売店や公共施設などにも設置される例が増えてきている。
【０００３】
一方、自動取引装置を利用した犯罪も増加してきている。このような犯罪を防止するための技術としては様々な技術が開示されている。例えば、暗証情報を入力するためのキーパッドと、キーパッドの上方、左側方および右側方を包囲する半透明のキーパッドカバーを備える自動取引装置が開示されている（例えば、特許文献１参照）。かかる技術によれば、キーパッドカバーにより利用者の暗証情報の入力が犯罪者に直接覗き見されることを防止することができる。
【０００４】
また、他の犯罪としてスキミングがある。スキミングは以下のように行われる。まず、犯罪者はカードの挿入口付近に磁気読み取り装置を取り付け、暗証情報を入力するためのキー部を映すカメラをキー部付近に取り付けておく。そうすれば、カードの持ち主が自動取引装置を利用するに際して、磁気読み取り装置は挿入されたカードの磁気情報を読み取り、カメラは暗証情報の入力を記録することが可能である。犯罪者は、読み取られたカードの磁気情報と記録された暗証情報の入力とを使ってカードの持ち主になりすまし、現金をだまし取ることができる。
【先行技術文献】
【特許文献】
【０００５】
【特許文献１】特開２００８−２８７６４６号公報
【発明の概要】
【発明が解決しようとする課題】
【０００６】
しかしながら、かかる犯罪を抑止するためのより有効な対策が求められている。そこで、本発明は、上記問題に鑑みてなされたものであり、本発明の目的とするところは、キー部への情報入力が撮影されてしまう可能性を抑制する技術を提供することにある。
【課題を解決するための手段】
【０００７】
上記問題を解決するために、本発明のある観点によれば、装置の外観面に形成された凹部と、情報を入力するためのキーが複数配置されたキー部と、を備え、前記キー部の少なくとも一部は、前記凹部によって形成される開口空間に配置され、前記凹部の内側面の少なくとも一部は、内側に突出した突出領域である、入力キー配置構造が提供される。
【０００８】
前記凹部は、装置の前面に設けられてよい。
【０００９】
前記突出領域は、断面Ｖ字形状をなしてよい。
【００１０】
前記突出領域は、前記凹部の上面に形成されていてよい。
【００１１】
前記突出領域は、前記凹部の奥面に形成されていてよい。
【００１２】
また、本発明のある観点によれば、装置の外観面に形成された凹部と、情報を入力するためのキーが複数配置されたキー部と、前記凹部の内側面に取り付けられた光センサと、前記光センサによって検出された光量が下限値を下回った場合に、所定の動作を行う制御部と、を備え、前記キー部の少なくとも一部は、前記凹部によって形成される開口空間に配置される、入力キー配置構造が提供される。
【００１３】
また、本発明のある観点によれば、装置の外観面に形成された凹部と、情報を入力するためのキーが複数配置されたキー部と、を備え、前記キー部の少なくとも一部は、前記凹部によって形成される開口空間に配置され、前記凹部の内側面の少なくとも一部は、内側に突出した突出領域である、自動取引装置が提供される。
【００１４】
前記凹部は、装置の前面に設けられてよい。
【００１５】
前記突出領域は、断面Ｖ字形状をなしてよい。
【００１６】
前記突出領域は、前記凹部の上面に形成されていてよい。
【００１７】
前記突出領域は、前記凹部の奥面に形成されていてよい。
【００１８】
また、本発明のある観点によれば、装置の外観面に形成された凹部と、情報を入力するためのキーが複数配置されたキー部と、前記凹部の内側面に取り付けられた光センサと、前記光センサによって検出された光量が下限値を下回った場合に、所定の動作を行う制御部と、を備え、前記キー部の少なくとも一部は、前記凹部によって形成される開口空間に配置される、自動取引装置が提供される。
【発明の効果】
【００１９】
以上説明したように本発明によれば、キー部への情報入力が撮影されてしまう可能性を抑制することが可能となる。
【図面の簡単な説明】
【００２０】
【図１】カメラ取り付け前の一般的な自動取引装置の外観を示す斜視図である。
【図２】カメラ取り付け後の一般的な自動取引装置の外観を示す図である。
【図３】本発明の第１の実施形態に係るカメラ取り付け後の自動取引装置の外観を示す斜視図である。
【図４】本発明の第１の実施形態に係る自動取引装置の外観を示す側面図である。
【図５】奥面にカメラが取り付けられた凹部を斜め上方から見た図である。
【図６】本発明の第２の実施形態に係るカメラ取り付け後の自動取引装置の外観を示す斜視図である。
【図７】上面にカメラが取り付けられた凹部を正面から見た図である。
【図８】本発明の第３の実施形態に係るカメラ取り付け後の自動取引装置の外観を示す斜視図である。
【図９】変形例に係る自動取引装置の外観を示す側面図である。
【発明を実施するための形態】
【００２１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２２】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２３】
（一般的な技術）
まず、一般的な自動取引装置９０について説明する。図１は、カメラ取り付け前の一般的な自動取引装置９０の外観を示す斜視図である。まず、図１を参照しながら、一般的な自動取引装置９０の構成について説明する。例えば、自動取引装置９０は、紙幣を還流させる（リサイクルさせる）タイプのＡＴＭに代表される顧客操作型端末であってよい。また、自動取引装置９０は、銀行、駅構内およびコンビニエンスストアなど、多様な場所に設置され得る。
【００２４】
図１に示したように、一般的な自動取引装置９０は、装置本体９１と、表示部９２と、カード挿入口９３と、紙幣投入受取口９４と、凹部９５と、キー部９６とを備える。表示部９２には、利用者が操作するためのタッチパネルが積層されていてよい。また、キー部９６には、情報を入力するためのキーが複数配置されている。装置本体９１は、図示しない制御部を有しており、図示しない制御部によって自動取引装置９０の動作全体が制御される。一般的な自動取引装置９０の動作の例として現金払い戻しの動作を説明する。
【００２５】
まず、利用者がカードをカード挿入口９３に挿入すると、暗証情報の入力案内が表示部９２に表示される。利用者はキー部９６を操作して暗証情報を入力する。カードから読み取られたデータに基づいて暗証情報の照合が成功すると、利用者は払い戻したい金額をキー部９６に入力し、表示部９２に表示された確認ボタンを押下する操作を行う。入力された金額に相当する現金が紙幣投入受取口９４に排出されると、利用者は現金を受け取り、取引が完了する。
【００２６】
近年では、このような自動取引装置９０を利用した犯罪が増加してきている。犯罪の一例としてスキミングがある。スキミングは以下のように行われる。まず、犯罪者はカード挿入口９３の付近に磁気読み取り装置を取り付け、キー部９６を映すカメラをキー部９６の付近に取り付けておく。図２は、カメラ取り付け後の一般的な自動取引装置９０の外観を示す図である。図２を参照すると、凹部９５の奥面にカメラ９７が取り付けられている。ただし、犯罪者によってカメラ９７が取り付けられる場所は凹部９５の奥面には限られない。
【００２７】
このようにして、磁気読み取り装置とカメラ９７とが取り付けられると、カードの持ち主が自動取引装置９０を利用するに際して、磁気読み取り装置は挿入されたカードの磁気情報を読み取り、カメラ９７は暗証情報の入力を記録することが可能である。犯罪者は、読み取られたカードの磁気情報と記録された暗証情報の入力とを使ってカードの持ち主になりすまし、現金をだまし取ることができる。
【００２８】
かかる犯罪を抑止するためのより有効な対策が求められている。そこで、本明細書においては、キー部９６への情報入力が撮影されてしまう可能性を抑制する技術を主に提案する。本明細書では、図１における凹部９５は、自動取引装置９０の外観面に形成する。また、キー部９６の一部は、凹部９５によって形成される開口空間に配置する。
【００２９】
このようにして、キー部９６の少なくとも一部が凹部９５によって形成される開口空間に設けられることによって前面よりも奥まった位置にキー部９６の少なくとも一部が配置されることとなる。かかる構造によれば、暗証情報の入力を犯罪者に覗き見されにくくなるという効果を享受することができる。
【００３０】
しかしながら、かかる構造では、凹部９５の内側面が利用者から見にくいため、凹部９５の内側面にカメラ９７が取り付けられたことに利用者が気づきにくくなってしまうという状況も生じ得る。そのため、カメラ９７によって暗証情報の入力が撮影されやすくなってしまう。本明細書においては、かかる構造を有する自動取引装置９０が利用される場合に対して、キー部９６への情報入力が撮影されてしまう可能性を特に有効に抑制することが可能な技術を更に提案する。
【００３１】
（第１の実施形態）
続いて、本発明の第１の実施形態に係る自動取引装置１０Ａについて詳細に説明する。図３は、本発明の第１の実施形態に係るカメラ取り付け後の自動取引装置１０Ａの外観を示す斜視図である。まず、図３を参照しながら、本発明の第１の実施形態に係る自動取引装置１０Ａの構成について説明する。例えば、自動取引装置１０Ａは、紙幣を還流させる（リサイクルさせる）タイプのＡＴＭに代表される顧客操作型端末であってよい。また、自動取引装置１０Ａは、銀行、駅構内およびコンビニエンスストアなど、多様な場所に設置され得る。
【００３２】
図３に示したように、本発明の第１の実施形態に係る自動取引装置１０Ａは、装置本体１０１と、表示部１０２と、カード挿入口１０３と、紙幣投入受取口１０４と、凹部１０５と、キー部１０６と、光源１０８とを備える。表示部１０２には、利用者が操作するためのタッチパネルが積層されていてよい。また、キー部１０６には、情報を入力するためのキーが複数配置されている。装置本体１０１は、図示しない制御部を有しており、図示しない制御部によって自動取引装置１０Ａの動作全体が制御される。
【００３３】
図４は、本発明の第１の実施形態に係る自動取引装置１０Ａの外観を示す側面図である。図４を参照すると、凹部１０５は、自動取引装置１０Ａの外観面に形成されていることが把握される。また、キー部１０６の一部は、凹部１０５によって形成される開口空間に配置されており、一部は開口空間の外側に露出している。特に、図４に示したように、凹部１０５は、その開口空間に配置されたキー部１０６への操作のしやすさを考慮し、自動取引装置１０Ａの前面に形成されてよい。なお、自動取引装置１０Ａの前面は、自動取引装置１０Ａの外観面のうち、利用者側の面であってよい。例えば、自動取引装置１０Ａの前面は、自動取引装置１０Ａの外観面のうち、表示部１０２が設けられた面であってもよいし、紙幣投入受取口１０４が設けられた面であってもよい。
【００３４】
図３に戻って説明を続ける。凹部１０５の内側面は、上面１０５−１、右側面１０５−２、左側面１０５−３および奥面１０５−４＃を有している。上面１０５−１には、キー部１０６に光を照射する光源１０８が取り付けられていてよい。ここで、カメラ１０７が凹部１０５の内側面に取り付けられたとしても、カメラ１０７の撮影範囲にキー部１０６が収まりにくくするため、凹部１０５の内側面の少なくとも一部を、内側に突出した突出領域とするとよい。突出領域は凹部１０５の内側面のどこに設けられてもよい。
【００３５】
凹部１０５の内側面のうち、奥面１０５−４＃は利用者から見にくいため、カメラ１０７が取り付けられたことに利用者が特に気づきにくいという事情がある。したがって、例えば、突出領域は凹部１０５の奥面１０５−４＃に形成されるとよい。突出領域の形状は特に限定されないが、図３に示すように、突出領域は、断面Ｖ字形状をなしてよい。突出領域が断面Ｖ字形状をなしている例をさらに説明する。図５は、奥面１０５−４＃にカメラ１０７が取り付けられた凹部１０５を斜め上方から見た図である。
【００３６】
図５を参照すると、奥面１０５−４＃に形成された突出領域が断面Ｖ字形状をなしている。このような構成であれば、奥面１０５−４＃にカメラ１０７が取り付けられても、キー部１０６がカメラ１０７の撮影範囲に収まりにくくなり、暗証情報の入力が撮影されにくくなる。図５に示した例では、奥面１０５−４＃の左面にカメラ１０７が取り付けられているが、カメラ１０７の撮影範囲がキー部１０６よりも左に逸れてしまっている。
【００３７】
同様に、奥面１０５−４＃の右面にカメラ１０７が取り付けられたとしても、カメラ１０７の撮影範囲はキー部１０６よりも右に逸れることが予想される。また、キー部１０６が撮影範囲に収まりやすくなるように奥面１０５−４＃の中央付近にカメラ１０７を取り付けようとしても、奥面１０５−４＃の中央付近は尖っているためにカメラ１０７が取り付けられにくいことが予想される。なお、Ｖ字の角度ａ１は特に限定されず、適宜に調整されてよい。
【００３８】
続いて、本発明の第１の実施形態に係る自動取引装置１０Ａの動作の例として現金払い戻しの動作を説明する。まず、利用者がカードをカード挿入口１０３に挿入すると、暗証情報の入力案内が表示部１０２に表示されるとともに、光源１０８が発光してキー部１０６に光が照射される。利用者はキー部１０６を操作して暗証情報を入力する。
【００３９】
カードから読み取られたデータに基づいて暗証情報の照合が成功すると、利用者は払い戻したい金額をキー部１０６に入力し、表示部１０２に表示された確認ボタンを押下する操作を行う。入力された金額に相当する現金が紙幣投入受取口１０４に排出されると、利用者は現金を受け取り、取引が完了する。
【００４０】
以上に説明したように、本発明の第１の実施形態によれば、装置の外観面に形成された凹部１０５と、情報を入力するためのキーが複数配置されたキー部１０６と、を備える自動取引装置１０Ａが提供される。ここで、キー部１０６の少なくとも一部は、凹部１０５によって形成される開口空間に配置され、凹部１０５の内側面の少なくとも一部は、内側に突出した突出領域とされる。第１の実施形態によれば、凹部１０５の内側面のうち、奥面に内側に突出した突出領域を設けたが、突出領域は、奥面の中央または中央付近を、凹部を形成する開口空間の中央または中央付近に向かって突出させて辺を形成し、その突出した辺と奥面の両端をつないだ面でＶ字形状を形成する。なお、第１の実施形態では、突出領域を奥面に設けたが、これに限定されず、上面、左面、右面であってもよい。
【００４１】
突出領域にカメラ１０７が取り付けられたとしても、カメラ１０７の撮影範囲にキー部１０６が収まりにくくなるため、キー部１０６への情報入力が撮影されてしまう可能性を抑制することが可能となる。また、本発明の第１の実施形態においては、特に断面Ｖ字形状を有する突出領域が奥面１０５−４＃に形成される例を説明した。かかる例によれば、奥面１０５−４＃にカメラ１０７が取り付けられたとしても、カメラ１０７の撮影範囲はキー部１０６の左または右に逸れるため、キー部１０６への情報入力が撮影されてしまう可能性が抑制される。
【００４２】
（第２の実施形態）
続いて、本発明の第２の実施形態に係る自動取引装置１０Ｂについて詳細に説明する。図６は、本発明の第２の実施形態に係るカメラ取り付け後の自動取引装置１０Ｂの外観を示す斜視図である。まず、図６を参照しながら、本発明の第２の実施形態に係る自動取引装置１０Ｂの構成について説明する。例えば、自動取引装置１０Ｂは、紙幣を還流させる（リサイクルさせる）タイプのＡＴＭに代表される顧客操作型端末であってよい。また、自動取引装置１０Ｂは、銀行、駅構内およびコンビニエンスストアなど、多様な場所に設置され得る。
【００４３】
図６に示したように、本発明の第２の実施形態に係る自動取引装置１０Ｂは、装置本体１０１と、表示部１０２と、カード挿入口１０３と、紙幣投入受取口１０４と、凹部１０５と、キー部１０６と、光源１０８とを備える。なお、以下の説明において、本発明の第２の実施形態に係る自動取引装置１０Ｂが有する構成のうち、本発明の第１の実施形態に係る自動取引装置１０Ａが有する構成と同様の構成については、同一の符号を付し、詳細な説明は省略する。
【００４４】
図６を参照すると、凹部１０５の内側面は、上面１０５−１＃、右側面１０５−２、左側面１０５−３および奥面１０５−４を有している。上面１０５−１＃には、キー部１０６に光を照射する光源１０８が取り付けられていてよい。ここで、凹部１０５の内側面のうち、上面１０５−１＃は利用者から見にくいため、カメラ１０７が取り付けられたことに利用者が特に気づきにくい。
【００４５】
したがって、例えば、凹部１０５の上面１０５−１＃に突出領域が形成されてもよい。突出領域の形状は特に限定されないが、図６に示すように、突出領域は、断面Ｖ字形状をなしてよい。突出領域が断面Ｖ字形状をなしている例をさらに説明する。図７は、上面１０５−１＃にカメラ１０７が取り付けられた凹部１０５を正面から見た図である。
【００４６】
図７を参照すると、上面１０５−１＃に形成された突出領域が断面Ｖ字形状をなしている。このような構成であれば、上面１０５−１＃にカメラ１０７が取り付けられても、キー部１０６がカメラ１０７の撮影範囲に収まりにくくなり、暗証情報の入力が撮影されにくくなる。図７に示した例では、上面１０５−１＃の右面にカメラ１０７が取り付けられているが、カメラ１０７の撮影範囲がキー部１０６よりも右に逸れてしまっている。
【００４７】
同様に、上面１０５−１＃の左面にカメラ１０７が取り付けられたとしても、カメラ１０７の撮影範囲はキー部１０６よりも左に逸れることが予想される。また、キー部１０６が撮影範囲に収まりやすくなるように上面１０５−１＃の中央付近にカメラ１０７を取り付けようとしても、上面１０５−１＃の中央付近は尖っているためにカメラ１０７が取り付けられにくいことが予想される。なお、Ｖ字の角度ａ２は特に限定されず、適宜に調整されてよい。
【００４８】
なお、本発明の第２の実施形態に係る自動取引装置１０Ｂの現金払い戻しの動作も、第１の実施形態に係る自動取引装置１０Ａの現金払い戻しの動作と同様になされ得るため、現金払い戻しの動作の詳細な説明は、ここでは省略する。
【００４９】
カードから読み取られたデータに基づいて暗証情報の照合が成功すると、利用者は払い戻したい金額をキー部１０６に入力し、表示部１０２に表示された確認ボタンを押下する操作を行う。入力された金額に相当する現金が紙幣投入受取口１０４に排出されると、利用者は現金を受け取り、取引が完了する。
【００５０】
本発明の第２の実施形態においては、特に断面Ｖ字形状を有する突出領域が上面１０５−１＃に形成される例を説明した。かかる例によれば、上面１０５−１＃にカメラ１０７が取り付けられたとしても、カメラ１０７の撮影範囲はキー部１０６の左または右に逸れるため、キー部１０６への情報入力が撮影されてしまう可能性が抑制される。
【００５１】
（第３の実施形態）
続いて、本発明の第３の実施形態に係る自動取引装置１０Ｃについて詳細に説明する。図８は、本発明の第３の実施形態に係るカメラ取り付け後の自動取引装置１０Ｃの外観を示す斜視図である。まず、図８を参照しながら、本発明の第３の実施形態に係る自動取引装置１０Ｃの構成について説明する。例えば、自動取引装置１０Ｃは、紙幣を還流させる（リサイクルさせる）タイプのＡＴＭに代表される顧客操作型端末であってよい。また、自動取引装置１０Ｃは、銀行、駅構内およびコンビニエンスストアなど、多様な場所に設置され得る。
【００５２】
図８に示したように、本発明の第３の実施形態に係る自動取引装置１０Ｃは、装置本体１０１と、表示部１０２と、カード挿入口１０３と、紙幣投入受取口１０４と、凹部１０５と、キー部１０６と、光源１０８と、光センサ１０９とを備える。なお、以下の説明において、本発明の第３の実施形態に係る自動取引装置１０Ｃが有する構成のうち、本発明の第１の実施形態に係る自動取引装置１０Ａが有する構成と同様の構成については、同一の符号を付し、詳細な説明は省略する。
【００５３】
図８を参照すると、凹部１０５の内側面は、上面１０５−１、右側面１０５−２、左側面１０５−３および奥面１０５−４を有している。上面１０５−１には、キー部１０６に光を照射する光源１０８が取り付けられていてよい。また、光センサ１０９は、凹部１０５の内側面の光量を検出する機能を有しており、凹部１０５の内側面のどこに設けられてもよい。図８に示した例では、光センサ１０９は、左側面１０５−３に取り付けられている。
【００５４】
かかる状態において、カメラ１０７が凹部１０５の内側面のどこかに取り付けられると、カメラ１０７によって遮光されて凹部１０５の内側面が暗くなることが予想される。すなわち、カメラ１０７が凹部１０５の内側面のどこかに取り付けられると、光センサ１０９に到達する光量が小さくなることが予想される。したがって、図示しない制御部は、光センサ１０９によって検出された光量が下限値を下回った場合に、所定の動作を行うようにするとよい。なお、図８に示した例では、奥面１０５−４にカメラ１０７が取り付けられている。
【００５５】
所定の動作は特に限定されない。例えば、所定の動作は、表示部１０２に所定のガイダンスを表示させる動作であってもよい。表示されるガイダンスの内容は特に限定されないが、何らかの注意喚起をするための内容であってよく、「キーの周囲を確認してください」といった利用者自身に確認を問うメッセージであってもよい。カメラ１０７が取り付けられていないと利用者が判断したときには、利用者による所定の継続操作によって、中断した取引を継続させることが可能であってもよい。一方、カメラ１０７が取り付けられていると利用者が判断したときには、利用者による所定の終了操作によって、取引を終了させることが可能であってもよい。
【００５６】
また、何らかの注意喚起をするための内容は、「担当者に連絡してください」といった担当者に連絡させるためのメッセージであってもよい。カメラ１０７が取り付けられていないと担当者が判断したときには、担当者による所定の継続操作によって、中断した取引を継続させることが可能であってもよい。一方、カメラ１０７が取り付けられていると担当者が判断したときには、担当者による所定の終了操作によって、取引を終了させることが可能であってもよい
【００５７】
あるいは、所定の動作は、強制的に自動取引装置１０Ｃの動作を停止させる動作であってもよい。また、上記した下限値はあらかじめ一律的に設定されていてもよいし、自動取引装置１０Ｃが設置されるときに管理者によって設定されてもよい。あるいは、カメラ１０７が取り付けられていないときの凹部１０５の内側面の光量が光センサ１０９によって検出された場合には、その光量に応じた下限値が自動的に設定されてもよい。
【００５８】
なお、キー部１０６を操作するために利用者が凹部１０５の内部に手を挿入したときにも、利用者の手によって遮光されて凹部１０５の内側面が暗くなることが予想される。そこで、光センサ１０９によって検出された光量が下限値を下回ったか否かの判定は、利用者に暗証情報を入力させる前に行われるのがよい。例えば、かかる判定は、利用者がカードをカード挿入口１０３に挿入する前に所定時間ごとに行われてもよいし、利用者が自動取引装置１０Ｃを利用し始めたときに行われてもよい。
【００５９】
利用者が自動取引装置１０Ｃを利用し始めたことはどのように検出されてもよい。例えば、自動取引装置１０Ｃの前への利用者の到達が検出されたことによって、利用者が自動取引装置１０Ｃを利用し始めたことが検出されてもよい。自動取引装置１０Ｃの前に所定のセンサ（例えば、赤外線センサ、圧力センサなど）が設置されている場合には、その所定のセンサによる検出結果に基づいて、利用者が自動取引装置１０Ｃを利用し始めたことが検出されてもよい。
【００６０】
なお、本発明の第３の実施形態に係る自動取引装置１０Ｃの現金払い戻しの動作も、第１の実施形態に係る自動取引装置１０Ａの現金払い戻しの動作と同様になされ得るため、現金払い戻しの動作の詳細な説明は、ここでは省略する。
【００６１】
本発明の第３の実施形態においては、光センサ１０９によって検出された光量が下限値を下回った場合に、所定の動作を行う例を説明した。かかる例によれば、凹部１０５の内側面にカメラ１０７が取り付けられると、カメラ１０７によって遮光されて光センサ１０９によって検出される光量が下限値を下回るまで低下し、所定の動作がなされる。したがって、凹部１０５の内側面にカメラ１０７が取り付けられていることに利用者は気付くことができ、キー部１０６への情報入力が撮影されてしまう可能性が抑制される。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６３】
例えば、図４には、キー部１０６の一部が、凹部１０５によって形成される開口空間に配置され、一部が開口空間の外側に露出している例を示した。しかし、凹部１０５によって形成される開口空間には、キー部１０６の一部が配置されてもよいし、キー部１０６の全部が配置されてもよい。図９は、変形例に係る自動取引装置１０Ａ＃の外観を示す側面図である。図９に示すように、凹部１０５によって形成される開口空間に、キー部１０６の全部が収まっていてもよい。かかる変形例は、上記の各実施形態に適用され得る。
【００６４】
また、例えば、上記においては、各構成を備える自動取引装置が提供されることについて説明した。しかし、自動取引装置が有する構成と同様の構成を有する入力キー配置構造も提供されてよい。その場合、入力キー配置構造が有する各構成も、上記した各実施形態に説明された各構成と同様の特徴を有していてよい。さらに、かかる入力キー配置構造によって入力された情報は自動取引装置以外の装置によって利用されてもよい。
【００６５】
また、例えば、自動取引装置１０の動作全体を制御するための制御部は、専用のハードウェアによって構成されてもよいし、自動取引装置１０に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【符号の説明】
【００６６】
１０（１０Ａ、１０Ｂ、１０Ｃ、１０Ａ＃）  自動取引装置
１０１  装置本体
１０２  表示部
１０３  カード挿入口
１０４  紙幣投入受取口
１０５  凹部
１０５−１、１０５−１＃  上面
１０５−２  右側面
１０５−３  左側面
１０５−４、１０５−４＃  奥面
１０６  キー部
１０７  カメラ
１０８  光源
ａ１    角度
ａ２    角度
１０９  光センサ
【図１】
2015194822.tif 000003
【図２】
2015194822.tif 000004
【図３】
2015194822.tif 000005
【図４】
2015194822.tif 000006
【図５】
2015194822.tif 000007
【図６】
2015194822.tif 000008
【図７】
2015194822.tif 000009
【図８】
2015194822.tif 000010
【図９】
2015194822.tif 000011